(57)【特許請求の範囲】
【請求項１】
移動局と前記移動局と相互に通信を行う複数の基地局より構成された移動通信システムにおける接続基地局セクタ制御方法において、
接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、
前記第２ステップは、
高優先順位の前記接続基地局または接続セクタから探索する探索ステップと、
前記探索ステップにおいて前記移動局が接続可能な基地局セクタを見つけたときに、前記優先順位毎に重み付けされた所定時間内の前記基地局セクタの受信品質を前記移動局により監視し、監視して得られた受信品質を判定し、当該受信品質が常に所望の品質を満たすときに次に接続する基地局セクタへの接続切替を行うステップと
を有することを特徴とする接続基地局セクタ制御方法。
【請求項２】
移動局と前記移動局と相互に通信を行う複数の基地局より構成された移動通信システムにおける接続基地局セクタ制御方法において、
接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、
前記第２ステップは、
高優先順位の前記接続基地局または接続セクタから探索する探索ステップと、
前記探索ステップに続いて、前記優先順位にしたがってダイバーシチ・ハンドオーバ閾値を設定するステップを含み、
前記探索ステップにおいて前記移動局が接続可能な基地局セクタを見つけたときに、前記設定されたダイバーシチ・ハンドオーバ閾値に基づいて、現在接続中の基地局セクタから次に接続する基地局セクタへの接続切替タイミングを決定することを特徴とする接続基地局セクタ制御方法。
【請求項３】
移動局と前記移動局と相互に通信を行う複数の基地局より構成された移動通信システムにおける接続基地局セクタ制御方法において、
接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、
前記第２ステップは、
高優先順位の前記接続基地局または接続セクタから探索する探索ステップと、
前記探索ステップに続いて、前記優先順位にしたがってダイバーシチ・ハンドオーバ閾値を設定するステップを含み、
前記探索ステップにおいて前記移動局が接続可能な基地局セクタを見つけたときに、前記優先順位毎に重み付けされた所定時間内の前記基地局セクタの受信品質を前記移動局により監視して得られた受信品質を判定し、当該判定結果と前記設定されたダイバーシチ・ハンドオーバ閾値に基づいて、現在接続中の基地局セクタから次に接続する基地局セクタへの接続切替タイミングを決定して接続切替を行うことを特徴とする接続基地局セクタ制御方法。
【請求項４】
移動通信システムにおいて複数の基地局と相互に通信を行い、当該通信にしたがって接続基地局または接続セクタを決定する移動局装置において、
接続基地局および接続セクタの優先順位にしたがって分類された複数カテゴリに前記複数の基地局を分類する周辺基地局セクタ情報を含んだとまり木チャネルを前記複数の基地局から受信する受信手段と、
前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段とを備え、
前記探索手段によって接続可能な基地局セクタを見つけたときに、前記優先順位毎に重み付けされた所定時間内の前記基地局セクタの受信品質を監視し、監視して得られた受信品質を判定し、当該受信品質が常に所望の品質を満たすときに次に接続する基地局セクタへの接続切替を行うことを特徴とする移動局装置。
【請求項５】
移動通信システムにおいて複数の基地局と相互に通信を行い、当該通信にしたがって接続基地局または接続セクタを決定する移動局装置において、
接続基地局および接続セクタの優先順位にしたがって分類された複数カテゴリに前記複数の基地局を分類する周辺基地局セクタ情報を含んだとまり木チャネルを前記複数の基地局から受信する受信手段と、
前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段と、
前記優先順位にしたがってダイバーシチ・ハンドオーバ閾値を設定する設定手段とを備え、
前記探索手段によって接続可能な基地局セクタを見つけたときに、前記設定手段により設定されたダイバーシチ・ハンドオーバ閾値に基づいて、現在接続中の基地局セクタから次に接続する基地局セクタへの接続切替タイミングを決定することを特徴とする移動局装置。
【請求項６】
移動通信システムにおいて複数の基地局と相互に通信を行い、当該通信にしたがって接続基地局または接続セクタを決定する移動局装置において、
接続基地局および接続セクタの優先順位にしたがって分類された複数カテゴリに前記複数の基地局を分類する周辺基地局セクタ情報を含んだとまり木チャネルを前記複数の基地局から受信する受信手段と、
前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段と、
前記優先順位にしたがってダイバーシチ・ハンドオーバ閾値を設定する設定手段とを備え、
前記探索手段によって接続可能な基地局セクタを見つけたときに、前記優先順位毎に重み付けされた所定時間内の前記基地局セクタの受信品質を監視し、監視して得られた受信品質を判定し、当該判定結果と前記設定手段により設定されたダイバーシチ・ハンドオーバ閾値に基づいて、現在接続中の基地局セクタから次に接続する基地局セクタへの接続切替タイミングを決定して接続切替を行うことを特徴とする移動局装置。
【発明の詳細な説明】
【０００１】
【発明の属する技術分野】
本発明は接続基地局セクタ制御方法および移動局装置に関し、特に、複数の基地局と当該基地局と通信を行う移動局より構成される移動通信システムにおいて、移動局が自ら接続する基地局およびセクタを探索し得られた基地局およびセクタと接続を行う際の接続基地局セクタ制御方法、および当該制御方法が適用される移動局装置に関する。
【０００２】
【従来の技術】
現在普及している携帯電話のような移動通信システムでは、サービスエリア全体をセルとよばれる比較的小さな無線ゾーンに分割してサービスを行っている。図１はこのような移動通信システムを概略的に例示しており、分割された無線ゾーン（セルａ〜ｄ）をカバーする複数の基地局（基地局１〜４）と、基地局１〜４との間に無線チャネルを設定して通信を行う複数の移動局５〜８より構成されている。
【０００３】
一般に基地局から所定の送信電力で送信された電波は、空間伝搬中に受ける伝搬損失によって、伝搬するにしたがってその電力を減衰しながら受信点に到達する。電波が受ける当該減衰量は、送信点と受信点間の距離が遠くなるほど大きくなるという性質を持っている。このため、基本的に、移動局に対して遠くの基地局から送信されるとまり木チャネルは弱い受信強度で、近くの基地局から送信されるとまり木チャネルは強い受信強度で受信される。伝搬損失の大きさは、現実には上記距離だけに因らず、地形や建造物などの状況に因っても変動する。この伝搬損失変動のために、移動局の移動に伴って各基地局からのとまり木チャネルの受信電力は大きく変動することがある。
【０００４】
基地局からの送信信号をより高品質で受信するために、移動局は各基地局からのとまり木チャネルを常に監視し、監視結果にしたがって最良の基地局を選択することが重要となる。とまり木チャネルを監視する際には、移動通信システム上で運用されている全チャネルについて常に探索して監視することは効率的でない。
【０００５】
そこで従来の移動通信システムにおいて用いられている制御では、各基地局から送信されているとまり木チャネルを用いて在圏基地局から移動局に周辺基地局セクタ情報を報知し、移動局では報知された基地局からのとまり木チャネルのみを対象として探索および監視を行うようにしている。
【０００６】
【発明が解決しようとする課題】
このような従来の移動通信システムにおける手法では、とまり木チャネルから移動局に報知されている周辺基地局セクタ情報に後述の最適化を行って、これにより移動局がより適切に、かつスムーズに接続基地局の変更を行う必要がある。
【０００７】
ところで、受信強度が地形地物から受ける影響は多大なために、各基地局がカバーする現実的なエリアの大きさや形状は、必ずしもシステム設計者が意図した大きさや形状とはならない。すなわち、各基地局のエリアが入り組んでしまったり、ある基地局エリア内に他局のエリアがスポット的に形成されたり、不規則なエリア形状となることがある。
【０００８】
そこで、入り組んだりスポット配置されたこれらの局も考慮して周辺基地局セクタ情報を作成し、当該情報を報知することが考えられる。しかし、このような不規則な形状のエリアを移動局が横切って移動する場合に、当該移動局の移動速度がある程度速いと接続基地局が頻繁に切り替わることになり、これによって移動通信システムに掛かる負荷が増大する。
【０００９】
一方、接続基地局の切替え頻度を少なくして負荷増大を防ぐために、不規則形状のエリアの基地局を周辺基地局セクタ情報から削除することも考えられる。当該情報削除を行った場合、移動局がある程度遅い速度で移動すると、情報を削除された基地局のエリアに当該移動局が在圏する時間率が増大する。この在圏時間増大は、現在接続中の基地局との通信品質劣化時間の増大と、最悪の場合は通信の強制切断をもたらす。
【００１０】
このように、周辺基地局セクタ情報の最適化を行うためには、移動局の移動速度も考慮する必要があり、一般には困難な作業となる。
【００１１】
そこで本発明はこのような問題点に鑑みてなされたものであって、その目的は、複数の基地局と、これと相互に通信を行う移動局とで構成される移動通信システムにおいて、周辺基地局セクタ情報の最適化を行う困難を伴うことなく移動局が最良な基地局およびセクタと接続を行うことのできる接続基地局セクタ制御方法および移動局装置を提供することである。
【００１２】
【課題を解決するための手段】
上記の目的を達成するために請求項１の発明は、移動局と前記移動局と相互に通信を行う複数の基地局より構成された移動通信システムにおける接続基地局セクタ制御方法において、接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、前記第２ステップは、高優先順位の前記接続基地局または接続セクタから探索する探索ステップと、前記探索ステップにおいて前記移動局が接続可能な基地局セクタを見つけたときに、前記優先順位毎に重み付けされた所定時間内の前記基地局セクタの受信品質を前記移動局により監視し、監視して得られた受信品質を判定し、当該受信品質が常に所望の品質を満たすときに次に接続する基地局セクタへの接続切替を行うステップとを有することを特徴とする接続基地局セクタ制御方法を提供する。
また、請求項２の発明は、移動局と前記移動局と相互に通信を行う複数の基地局より構成された移動通信システムにおける接続基地局セクタ制御方法において、接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、前記第２ステップは、高優先順位の前記接続基地局または接続セクタから探索する探索ステップと、前記探索ステップに続いて、前記優先順位にしたがってダイバーシチ・ハンドオーバ閾値を設定するステップを含み、前記探索ステップにおいて前記移動局が接続可能な基地局セクタを見つけたときに、前記設定されたダイバーシチ・ハンドオーバ閾値に基づいて、現在接続中の基地局セクタから次に接続する基地局セクタへの接続切替タイミングを決定することを特徴とする接続基地局セクタ制御方法を提供する。
また、請求項３の発明は、移動局と前記移動局と相互に通信を行う複数の基地局より構成された移動通信システムにおける接続基地局セクタ制御方法において、接続基地局および接続セクタの優先順位にしたがって分類された複数カテゴリに前記複数の基地局を分類する周辺基地局セクタ情報を含んだとまり木チャネルを前記移動局に送信する第１ステップと、前記周辺基地局セクタ情報にしたがって前記複数の基地局を探索し、前記移動局が次に接続する接続基地局または接続セクタを自動的に決定するように前記移動局の接続切替を制御する第２ステップを有し、前記第２ステップは、高優先順位の前記接続基地局または接続セクタから探索する探索ステップと、前記探索ステップに続いて、前記優先順位にしたがってダイバーシチ・ハンドオーバ閾値を設定するステップを含み、前記探索ステップにおいて前記移動局が接続可能な基地局セクタを見つけたときに、前記優先順位毎に重み付けされた所定時間内の前記基地局セクタの受信品質を前記移動局により監視して得られた受信品質を判定し、当該判定結果と前記設定されたダイバーシチ・ハンドオーバ閾値に基づいて、現在接続中の基地局セクタから次に接続する基地局セクタへの接続切替タイミングを決定して接続切替を行うことを特徴とする接続基地局セクタ制御方法を提供する。
また、請求項４の発明は、 移動通信システムにおいて複数の基地局と相互に通信を行い、当該通信にしたがって接続基地局または接続セクタを決定する移動局装置において、接続基地局および接続セクタの優先順位にしたがって分類された複数カテゴリに前記複数の基地局を分類する周辺基地局セクタ情報を含んだとまり木チャネルを前記複数の基地局から受信する受信手段と、前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段とを備え、前記探索手段によって接続可能な基地局セクタを見つけたときに、前記優先順位毎に重み付けされた所定時間内の前記基地局セクタの受信品質を監視し、監視して得られた受信品質を判定し、当該受信品質が常に所望の品質を満たすときに次に接続する基地局セクタへの接続切替を行うことを特徴とする移動局装置を提供する。
また、請求項５の発明は、移動通信システムにおいて複数の基地局と相互に通信を行い、当該通信にしたがって接続基地局または接続セクタを決定する移動局装置において、接続基地局および接続セクタの優先順位にしたがって分類された複数カテゴリに前記複数の基地局を分類する周辺基地局セクタ情報を含んだとまり木チャネルを前記複数の基地局から受信する受信手段と、前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段と、前記優先順位にしたがってダイバーシチ・ハンドオーバ閾値を設定する設定手段とを備え、前記探索手段によって接続可能な基地局セクタを見つけたときに、前記設定手段により設定されたダイバーシチ・ハンドオーバ閾値に基づいて、現在接続中の基地局セクタから次に接続する基地局セクタへの接続切替タイミングを決定することを特徴とする移動局装置を提供する。
また、請求項６の発明は、移動通信システムにおいて複数の基地局と相互に通信を行い、当該通信にしたがって接続基地局または接続セクタを決定する移動局装置において、接続基地局および接続セクタの優先順位にしたがって分類された複数カテゴリに前記複数の基地局を分類する周辺基地局セクタ情報を含んだとまり木チャネルを前記複数の基地局から受信する受信手段と、前記周辺基地局セクタ情報にしたがって前記複数の基地局を探索し、次に接続する接続基地局または接続セクタを自動的に決定するように接続切替を制御する制御手段であって、高優先順位の前記接続基地局または接続セクタから探索する探索手段を有する制御手段と、前記優先順位にしたがってダイバーシチ・ハンドオーバ閾値を設定する設定手段とを備え、前記探索手段によって接続可能な基地局セクタを見つけたときに、前記優先順位毎に重み付けされた所定時間内の前記基地局セクタの受信品質を監視し、監視して得られた受信品質を判定し、当該判定結果と前記設定手段により設定されたダイバーシチ・ハンドオーバ閾値に基づいて、現在接続中の基地局セクタから次に接続する基地局セクタへの接続切替タイミングを決定して接続切替を行うことを特徴とする移動局装置を提供する。
【００２２】
【発明の実施の形態】
まず始めに、図２を参照して、本発明の基本的な技術思想についての概念的説明を行う。
【００２３】
図２において、図２（ａ）は各基地局（セクタ）と移動局の位置関係を説明する説明図、図２（ｂ）は基地局１からの距離（横軸）と受信強度（縦軸）の関係を示す特性図であり、各基地局と移動局は、図１に示した従来例と同様の移動通信システムに適用される。
【００２４】
図２（ａ）において、移動局２０は出発点において先ず基地局１と接続しており、矢印方向に移動するものとする。移動局２０は基地局１から受信するとまり木チャネルにより報知されている情報を基に次の接続先を探索し、各基地局１，２，３…から送信されるとまり木チャネルの受信品質を監視する。
【００２５】
移動にしたがって移動局２０に基地局１，２，３から到来する電波の受信強度は例えば図２（ｂ）に示した特性図の通りである。当該特性図において、領域１は基地局１から送信されているとまり木チャネル（送信波）の受信強度が最も高い領域、領域３は基地局３から送信されているとまり木チャネルの受信強度が最も高い領域、領域２は基地局２から送信されているとまり木チャネルの受信強度が最も高い領域である。基地局１から遠ざかるにしたがって、最強受信強度基地局は基地局１，基地局３，基地局２の順に変化する。
【００２６】
このような受信強度分布中を移動局２０が基地局１の直近から基地局２に向かって移動する場合、従来の移動通信システムでは先ず基地局１から基地局３へ、続いて基地局３から基地局２へと接続局を切り替えることになる。しかしながら、このような移動時に移動局２０の移動速度が速く基地局３と接続する時間率が短い場合は、途中で基地局３と接続すること無く基地局１から直接基地局２へ接続を切り替えた方がシステムに与える負荷が少ない。一方、移動局２０の移動速度が遅く基地局３と接続する時間率が長い場合には、基地局３を考慮して接続を切り替えた方が、通信品質劣化や強制切断のない良好な受信を行うことができる。
【００２７】
本発明は、移動局２０が受信する複数とまり木チャネル中の各周辺基地局セクタ情報にしたがって、移動局２０の移動速度が速い場合には基地局１→基地局２の接続切り替えを、移動局２０の移動速度が遅い場合には基地局１→基地局３→基地局２の接続切り替え判断を自動的に行える構成としたものである。
【００２８】
例えば、基地局１のとまり木チャネルにより報知されている周辺基地局セクタ情報は２つのカテゴリに分類されており、カテゴリ１には基地局２が、カテゴリ２には基地局３が記述される。ここで、カテゴリ２はカテゴリ１より優先順位を低く設定する。すなわち、カテゴリ２に分類される基地局３はカテゴリ１に分類される基地局２よりも受信品質の監視時間が長く、またダイバーシチ・ハンドオーバ閾値も高い。
【００２９】
移動局２０の移動速度が速い場合、基地局３からのとまり木チャネルの受信品質がその監視時間内で常に良好となる確率は、移動局２０の移動速度が速いほど低くなる。かつ、ダイバーシチ・ハンドオーバ閾値は高めに設定されている。したがって、高速移動時には移動局２０が基地局３と接続する確率が低くなる。
【００３０】
一方、移動局２０の移動速度が遅い場合、基地局３からのとまり木チャネルの受信品質がその監視時間内で常に良好となる確率は、移動局２０の移動速度が遅いほど高くなる。受信品質が良好となる確率上昇とともに、監視時間内にその受信品質が常にダイバーシチ・ハンドオーバ閾値を超える確率も高くなる。したがって、低速移動時には移動局２０が基地局３と接続する確率が高くなる。
次に、図３乃至図５を参照して本発明に係る一実施形態について詳細に説明する。
【００３１】
図３は本発明に係る一実施形態の移動局装置の要部構成を示すブロック図であり、移動局装置の構成のうち本発明に関係する要部についてのみ概念的に示している。図３に示す移動局装置は、図１に示した移動通信システムにおける移動局に用いられる。
【００３２】
移動局送受信装置３０は、図示しない各基地局（セクタ）から送出される無線変調されたユーザ情報や制御信号を受信して復調したり、ユーザ信号や制御信号を符号化／変調して送出する。周波数分割多元接続（Ｆｒｅｑｕｅｎｃｙ  Ｄｉｖｉｓｉｏｎ  Ｍｕｌｔｉｐｌｅ  Ａｃｃｅｓｓ；ＦＤＭＡ）、時分割多元接続（Ｔｉｍｅ  Ｄｉｖｉｓｉｏｎ  Ｍｕｌｔｉｐｌｅ  Ａｃｃｅｓｓ；ＴＤＭＡ）、符号分割多元接続（Ｃｏｄｅ  Ｄｉｖｉｓｉｏｎ  Ｍｕｉｔｉｐｌｅ  Ａｃｃｅｓｓ；ＣＤＭＡ）などの通信方式により変復調方式は異なるが、移動局送受信装置３０の無線区間の変復調方式の違いは本発明の効果に何ら影響を与えない。移動局送受信装置３０はアンテナ３１およびユーザ・インターフェース３２にそれぞれ接続されており、各基地局からのとまり木チャネルを受信する。
【００３３】
共通制御回路３３は、本移動局装置の全般的な制御を司る。共通制御回路３３は、バス３８を介してとまり木チャネル品質測定制御回路３４、セルサーチ制御回路３５、接続基地局セクタ制御回路３６、およびメモリ３７と相互に接続されている。とまり木チャネル品質測定制御回路３４は移動局送受信装置３０に対してとまり木チャネルの品質測定を指令し、また、移動局送受信装置３０から測定結果を取得する。
【００３４】
セルサーチ制御回路３５は、移動局送受信装置３０に対してセルサーチの実行を指令し、また、移動局送受信装置３０からセルサーチ実行結果を取得する。接続基地局セクタ制御回路３６は、セルサーチ制御回路３５が取得したとまり木チャネルの品質測定結果に基づいて、接続を開始するか否か判断する。メモリ３７には各種データを記憶することができ、在圏エリア基地局から報知された周辺基地局セクタ情報を記憶しておく。
【００３５】
図４は本発明に係る一実施形態において移動局が取得する周辺基地局セクタ情報を概念的に示す説明図である。
【００３６】
図４において、移動局４０は図３に示した構成要素を含んだ構成となっている。移動局４０は基地局Ａのエリアに在圏しており、基地局Ａから送信されるとまり木チャネルの報知情報から周辺基地局セクタ情報４４を得る。当該情報にはカテゴリ１に属する基地局とカテゴリ２に属する基地局が分類されて記載されている。
【００３７】
カテゴリ１には次接続基地局（セクタ）として最も有力な基地局（セクタ）が、具体的には在圏エリア（基地局Ａ）とそれぞれ隣接する基地局Ｂ，Ｃ，Ｄ，Ｅ，Ｆ，Ｇが記載されている。またカテゴリ２には、カテゴリ１以外の基地局で移動局４０が接続する可能性のある基地局が、具体的にはカテゴリ１に属するエリア（基地局Ｂ，Ｃ，Ｄ，Ｅ，Ｆ，Ｇ）のいずれかとそれぞれ隣接する基地局Ｈ，Ｉ，Ｊ，Ｋ，Ｌ，Ｍ，Ｎ，Ｏ，Ｐ，Ｑ，Ｒ，Ｓが記載されている。さらに、カテゴリ１，２のどちらにも属さない、最低優先順位の基地局をその他のカテゴリとする（図示せず）。
【００３８】
次に、移動局４０がセルサーチを行って接続基地局を決定するまでの処理の流れについて図５のフローチャートを参照して説明する。この処理は、周辺基地局セクタ情報を用いた接続切替制御を行うものである。
【００３９】
先ず、移動局４０は共通制御回路３３の制御下で前述移動局送受信装置３０，セルサーチ回路３５によりセルサーチを開始して、これによって受信可能なとまり木チャネルを探索する（ステップＳ５０）。探索の結果、在圏エリアの通信基地局Ａ以外のとまり木チャネルを受信すると（ステップＳ５１）、当該チャネルを送信している基地局（セクタ）を判定対象基地局に決定し、当該各基地局が何れのカテゴリに属しているかをメモリ３７に記憶されている周辺基地局セクタ情報（基地局Ａから報知された情報）４４にしたがって検索する（ステップＳ５２）。
【００４０】
続いて、当該各基地局が属しているカテゴリより受信品質監視時間Ｔを決定する（ステップＳ５３）。カテゴリ１についてはＴ１、カテゴリ２についてはＴ２、その他カテゴリについてはＴ３とする。さらに、ダイバーシチ・ハンドオーバ閾値（ＤＨＯ閾値）Ｌを決定（するステップＳ５４）。カテゴリ１についてはＬ１、カテゴリ２についてはＬ２、その他カテゴリについてはＬ３とする。上記両ステップで、カテゴリの優先順位順にＴ１＜Ｔ２＜Ｔ３、Ｌ１＜Ｌ２＜Ｌ３と設定しておく。
【００４１】
移動局４０は上記各ステップで決定したパラメータを用い、ステップＳ５５以下の手順によって、受信とまり木チャネルを送信している基地局と接続するか否かの判定を行う。
監視を開始して監視時間ｔをリセットし（ステップＳ５５）、決定した受信品質監視時間Ｔだけ前述移動局送受信装置３０，とまり木チャネル品質測定制御回路３４によって受信品質を測定（ステップＳ５６，Ｓ５７）すると、監視を終了する（ステップＳ５８）。ここで測定する受信品質としては、前述した受信強度の他にＳＩＲが挙げられる。
【００４２】
続いて受信品質（受信強度またはＳＩＲ）が良好かの判断（ステップＳ５９）と、ＤＨＯ閾値によって接続切替ＯＫと判定できるかの判断（ステップＳ６０）を行う。
【００４３】
接続基地局セクタ制御回路３６によって接続可能と判定されるのは、ステップＳ５９において監視時間Ｔ内で受信品質が常に良好と判断され、続くステップＳ６０におけるＤＨＯ閾値による判定で接続可能と判定された場合である。受信品質が良好でない場合はステップＳ５０に戻り、移動局４０は再びセルサーチを行って受信可能なとまり木チャネルの探索を繰り返す。また、受信品質が良好であっても、ＤＨＯ閾値Ｌによる判定が接続不可の場合ステップＳ５０に戻り、移動局４０は再びセルサーチを行って受信可能なとまり木チャネルの探索を繰り返す。
【００４４】
上記の処理によって接続可能と判定されると、ダイバーシチ・ハンドオーバ閾値に基づいて、現在接続中の基地局セクタから次に接続する基地局への接続切替タイミングを決定し、当該基地局への接続を開始する（ステップＳ６１）。
【００４５】
上記の処理において、Ｔ１＜Ｔ２＜Ｔ３、Ｌ１＜Ｌ２＜Ｌ３と設定されているため、受信したとまり木チャネルがカテゴリ１の基地局であるならば監視時間Ｔが短く、またＤＨＯ閾値が低いことから、ステップＳ５９，６０の判定により当該基地局と接続が開始される確率が高い。一方、カテゴリ１、２以外の基地局から送信されているとまり木チャネルを受信した際には監視時間Ｔが長く、またＤＨＯ閾値が高いことから、ステップＳ５９，６０の判定により当該基地局と接続を開始する確率は低くなる。
【００４６】
なお、これらの確率は移動局の移動速度と監視時間との関係により異なるが、各カテゴリについて相対的には同様のことが言える。
【００４７】
したがって本実施形態に係る移動通信システムにおける接続基地局セクタ制御方法および移動局装置によれば、とまり木チャネルから報知される周辺基地局セクタ情報を上記の通りに利用して接続切替を制御することで、従来必要とされた困難な周辺基地局セクタ情報の最適化を行うことなく移動局に最良な基地局およびセクタとの接続を実現することができる。
【００４８】
【発明の効果】
以上、説明したように本発明方法および装置によれば、移動局と当該移動局と相互に通信を行う複数の基地局より構成された移動通信システムにおいて、複数の基地局を複数カテゴリに分類する周辺基地局セクタ情報を含んだとまり木チャネルを移動局に送信し、この周辺基地局セクタ情報にしたがって複数の基地局を探索し、移動局が次に接続する接続基地局または接続セクタを自動的に決定するように接続切替を制御し、この周辺基地局セクタ情報を優先順位にしたがい複数のカテゴリに分類しておくことで、周辺基地局セクタ情報の最適化を行うことなく移動局に最良な基地局およびセクタとの接続を容易に実現できる効果がある。
【図面の簡単な説明】
【図１】本発明を適用可能な従来の移動通信システムの概略構成を示す説明図である。
【図２】本発明の基本的な技術思想について概念的に説明する説明図および特性図である。
【図３】本発明に係る一実施形態の移動局装置の要部構成を示すブロック図である。
【図４】本発明に係る一実施形態において移動局が取得する周辺基地局セクタ情報を概念的に示す説明図である。
【図５】本発明に係る一実施形態による周辺基地局セクタ情報を用いた接続切替制御処理の手順を示すフローチャートである。
【符号の説明】
３０  移動局送受信装置
３１  アンテナ
３２  ユーザ・インターフェース
３３  共通制御回路
３４  とまり木チャネル品質測定制御回路
３５  セルサーチ制御回路
３６  接続基地局セクタ制御回路
３７  メモリ
３８  バス
４０  移動局
４４  周辺基地局セクタ情報
Ａ〜Ｓ  基地局
【図１】
0003682844.tif 000002
【図２】
0003682844.tif 000003
【図３】
0003682844.tif 000004
【図４】
0003682844.tif 000005
【図５】
0003682844.tif 000006